(57)【特許請求の範囲】
【請求項１】
第１の局のワイヤレス通信の方法であって、
前記第１の局へ関心のサービスを提供する能力のある第２の局を発見すること、前記第２の局は、ビーコンなしに近隣認識ネットワーキング（ＮＡＮ）データリンクチャネルを介した、関心の前記サービスを提供し、通信をサポートする、ＮＡＮデータリンクネットワークに参加する複数の局のうちの１つであり、前記発見することは、同期を提供するビーコン動作を有する、ＮＡＮネットワークを形成する複数の近隣局によりサポートされるＮＡＮチャネルを介した通信を通じて起こり、前記ＮＡＮデータリンクチャネルにおいて繰返す複数の送信ウィンドウは、前記ＮＡＮチャネルを介した前記通信と次の前記ＮＡＮチャネルを介した通信との間の間隔において構成される、と、
前記ＮＡＮデータリンクチャネルを介して前記第２の局と通信することと
を備える、方法。
【請求項２】
前記送信ウィンドウは、前記第２の局との関連付けを開始することを備える、ページングウィンドウを備え、前記ページングウィンドウは、前記複数の局がアウェイクモードにあると予期される期間である、請求項１に記載の方法。
【請求項３】
前記ＮＡＮデータリンクチャネルの送信ウィンドウの最初の部分であるページングウィンドウは、局が送るためのトラフィックを有するかどうかを示すために使用される、請求項１に記載の方法。
【請求項４】
発見することは、
前記ＮＡＮチャネルを介してサービス発見メッセージを送ること、前記サービス発見メッセージは、関心の前記サービスに対応する情報を含む、と、
前記複数の近隣局のうちの少なくとも１つから、前記ＮＡＮチャネルを介してサービス応答メッセージを受信すること、前記サービス応答メッセージは、前記ＮＡＮデータリンクチャネルを介して関心の前記サービスを提供するＮＡＮデータリンクネットワークを識別する情報を含む、と
を備える、請求項１に記載の方法。
【請求項５】
通信することは、
前記サービス応答メッセージで識別される、前記ＮＡＮデータリンクネットワーク内の前記複数の局のうちの１つまたは複数に、前記ＮＡＮデータリンクチャネルを介して関連付けメッセージを送ることを備え、前記複数の局のうちの前記１つまたは複数は、前記第２の局を含む、
請求項４に記載の方法。
【請求項６】
前記ＮＡＮデータリンクチャネルを介してピア発見メッセージを送ることと、
１つまたは複数の局から受信されるメッセージに応答して、現在のところ前記ＮＡＮネットワーク内にあって前記ＮＡＮデータリンクネットワークに参加する前記複数の近隣局に対応する近隣リストを更新することと
をさらに備える、請求項４に記載の方法。
【請求項７】
発見することは、
前記ＮＡＮチャネルを介してサービス広告ブロードキャストメッセージを受信すること、前記サービス広告ブロードキャストメッセージは、関心のサービスと、関心の前記サービスを提供するＮＡＮデータリンクネットワークとを識別する情報を含む、と、
前記複数の近隣局に、前記ＮＡＮチャネルを介してピア発見メッセージを送ること、前記複数の近隣局は、関心の前記サービスを提供する前記ＮＡＮデータリンクネットワークに参加する複数の局を含み、前記ピア発見メッセージは、関心の前記サービスと、関心の前記サービスを提供するＮＡＮデータリンクネットワークとに対応する情報を含む、と
を備える、請求項１に記載の方法。
【請求項８】
発見することは、
前記ＮＡＮチャネルを介してサービス広告メッセージを受信することを備え、前記サービス広告メッセージは、関心のサービスと、関心の前記サービスを提供するＮＡＮデータリンクネットワークと、近隣にある局のリストとを識別する情報を含み、前記サービス広告メッセージは、前記サービス広告メッセージで識別される、前記ＮＡＮデータリンクネットワークの局により送られる、
請求項１に記載の方法。
【請求項９】
通信することは、
前記サービス広告メッセージで識別される、前記ＮＡＮデータリンクネットワーク内の前記複数の局のうちの１つまたは複数に、前記ＮＡＮデータリンクチャネルを介して関連付けメッセージを送ることを備え、前記複数の局のうちの前記１つまたは複数は、前記第２の局を含む、
請求項８に記載の方法。
【請求項１０】
前記第２の局は、前記第１の局から１ホップである、
請求項１に記載の方法。
【請求項１１】
前記第２の局は、関心の前記サービスを提供する、
請求項１に記載の方法。
【請求項１２】
前記第２の局は、関心の前記サービスに対するプロキシである、
請求項１に記載の方法。
【請求項１３】
前記ＮＡＮチャネルは、同期をサポートするように構成され、前記ＮＡＮデータリンクチャネルは、前記ＮＡＮチャネルによりサポートされる同期に依拠する、
請求項１に記載の方法。
【請求項１４】
ワイヤレス通信のための第１の局であって、
前記第１の局へ関心のサービスを提供する能力のある第２の局を発見するための手段、前記第２の局は、ビーコンなしに近隣認識ネットワーキング（ＮＡＮ）データリンクチャネルを介した、関心の前記サービスを提供し、通信をサポートする、ＮＡＮデータリンクネットワークに参加する複数の局のうちの１つであり、前記発見することは、同期を提供するビーコン動作を有する、ＮＡＮネットワークを形成する複数の近隣局によりサポートされるＮＡＮチャネルを介した通信を通じて起こり、前記ＮＡＮデータリンクチャネルにおいて繰返す送信ウィンドウは、前記ＮＡＮチャネルを介した前記通信と次の前記ＮＡＮチャネルを介した通信との間の間隔において構成される、と、
前記ＮＡＮデータリンクチャネルを介して前記第２の局と通信するための手段と
を備える、第１の局。
【請求項１５】
コンピュータ実行可能なコードを備える第１の局のコンピュータプログラムであって、コンピュータ実行可能なコードは、実行されると、コンピュータに、請求項１乃至１３のいずれか１項に従う方法を実行させる、
コンピュータプログラム。
【発明の詳細な説明】
【関連出願の相互参照】
【０００１】
[0001]本出願は、「ＰＥＥＲ  ＤＩＳＣＯＶＥＲＹ  ＩＮ  ＳＯＣＩＡＬ  ＷＩ−ＦＩ  ＮＥＴＷＯＲＫＳ」と表題を付けられ、２０１４年６月２日に出願された、米国仮出願第６２／００６，８１３号、および、「ＰＥＥＲ  ＤＩＳＣＯＶＥＲＹ  ＩＮ  ＮＥＩＧＨＢＯＲ  ＡＷＡＲＥＮＥＳＳ  ＮＥＴＷＯＲＫＩＮＧ  （ＮＡＮ）  ＡＩＤＥＤ  ＤＡＴＡ  ＬＩＮＫ  ＮＥＴＷＯＲＫＳ」と表題を付けられ、２０１５年２月２４日に出願された、米国特許出願第１４／６２９，８９２号であって、それらの全体が本明細書に参照により明示的に組み込まれる、その２つの出願の利益を主張するものである。
【技術分野】
【０００２】
[0002]本開示は、一般的には通信システムに関し、より詳細には、近隣認識ネットワーキング（ＮＡＮ）ネットワーク内のデバイスによる発見および発見後通信に関する。
【背景技術】
【０００３】
[0003]多くの電気通信システムでは通信ネットワークは、いくつかのインタラクトする空間的に分離されたデバイスの間でメッセージをやり取りするために使用される。ネットワークは、たとえばメトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と命名されることになる。ネットワークはさらには、様々なネットワークノードとデバイスとを相互接続するために使用される交換／ルーティング技法（たとえば、回線交換対パケット交換）、送信のために用いられる物理媒体のタイプ（たとえば、ワイヤード対ワイヤレス）、および、使用される通信プロトコルのセット（たとえば、インターネットプロトコルスイート、同期光ネットワーキング（ＳＯＮＥＴ）、イーサネット（登録商標）、その他）に従って異なる。
【０００４】
[0004]前述のネットワークでは、デバイスは典型的には、ネットワークを形成し、次いで、ネットワーク内の他のデバイスの能力を発見する。近隣認識ネットワーキングは、別のネットワーキング手法であり、ここにおいて、デバイスは、それらが提供し得るサービスを広告し、および／または、付近のデバイスのサービスを発見する。近隣認識ネットワーキング（ＮＡＮ）ネットワークは、デバイスが、サービスを広告し、サービスを発見することを可能とする、ビーコンと、同期と、小さい広告および加入フレームとを提供する。ＮＡＮネットワークの主な目的は、発見するデバイスの１ホップレンジ内のサービス発見を支援することである。しかしながらＮＡＮネットワーク仕様は、サービス発見に焦点を絞り、発見後プロセスであって、それにより、発見するデバイスが関心のサービスにアクセスし得る、発見後プロセスに関する情報をほとんど提供しない。ＮＡＮネットワーク仕様は、たとえば、サービスを提供できるプロバイダデバイスが、そのサービスに関心のある、探索するデバイスに、プロバイダデバイスが接続されるアクセスポイントを通知することを可能とする、接続属性を考えに入れたものである。探索するデバイスは次いで、サービスを受信するためにアクセスポイントに接続し得る、または代替的に、Ｗｉ−Ｆｉ（登録商標）ダイレクトルートを始め得るものであり、そのことにより、プロバイダデバイスおよび探索するデバイスのうちの１つは、グループオーナになり、探索するデバイスは、関心のサービスを受信するためにプロバイダデバイスに接続する。ＮＡＮネットワークによって関心のサービスを受信することの前述のオプションは、セルラーサービスに依存するアクセスポイント、または、Ｗｉ−Ｆｉダイレクトセッティング内のグループのフォーメーションなどの、ネットワークインフラストラクチャに依存する。ＮＡＮネットワークはさらには、ソーシャルＷｉ−Ｆｉネットワークと称され得る。
【０００５】
[0005]ＮＡＮデータリンクネットワークは、典型的には、ＮＡＮデータリンクネットワーク内の局への関心のものである、１つまたは複数のサービスまたはアプリケーション、たとえば音楽ストリーミングをサポートする、デバイスまたは局のネットワークである。ＮＡＮデータリンクネットワーク内の参加者局は、ネットワーク内の他の局に関連付くことによってサービスを受信する。ＮＡＮデータリンクネットワークに参加する局は、データ経路（ＤＰ）グループ、ＮＡＮ  ＤＰグループ、またはメッシュグループと称され得る。ネットワークを介して利用可能なサービスに関心のある、ＮＡＮデータリンクネットワークに参加する局は、加入者、受信器、または受信者と称され得る。局は、プロバイダまたは送信器と称され得る個別のサービスを提供する。ＮＡＮデータリンクネットワークは、サービスにアクセスするために、アクセスポイントまたはＷｉ−Ｆｉダイレクトグループフォーメーションなどの、ネットワークインフラストラクチャに依存しない。この意味でＮＡＮデータリンクネットワークは、インフラストラクチャレスであると見なされる。ＮＡＮデータリンクネットワークはさらには、ＮＤＬネットワーク、ソーシャルＷｉ−Ｆｉメッシュネットワーク、ＳＷＦ−メッシュネットワーク、またはＮＡＮデータ経路（ＮＤＰ）ネットワークと称され得る。
【０００６】
[0006]ＮＡＮデータリンクネットワークの動作の一部の態様が、メッシュネットワークに固有のＩＥＥＥ８０２．１１ｓプロトコルに基づく一方で、ＮＡＮデータリンクネットワークとメッシュネットワークとの間に違いが存する。たとえばＮＡＮデータリンクネットワークは、ＮＡＮデータリンクチャネルから発見ビーコンを消失させる。これは、それが、８０２．１１ｓビーコンに関連付けられるオーバヘッドを消失させるという点で有益であり、ここにおいて、参加する局は、周期的にビーコンしなければならない。しかしながら、ＮＡＮデータリンクチャネル上にビーコンは存しないので、発見局は、関連付けのために近隣局を識別できない。さらに、局がＮＡＮデータリンクネットワークの参加する局になると、その局は、ＮＡＮデータリンクネットワークに入る、および、ＮＡＮデータリンクネットワークを出る、他の局のモビリティに起因する、その局の近隣の変化を識別する必要がある。やはり、ＮＡＮデータリンクチャネル上にビーコンは存しないので、発見局は、参加する局の正確な記録を維持できない。
【０００７】
[0007]ＮＡＮデータリンクチャネルを介したビーコンを導入する必要なしの、ＮＡＮデータリンクネットワークによる、関心のサービスのサービス発見と、ＮＡＮデータリンクネットワーク参加者変化とを考えに入れることが有益になる。
【発明の概要】
【０００８】
[0008]本発明のシステム、方法、およびデバイスは各々、いくつかの態様であって、それらのうちのいずれの単一のものも、その望ましい属性に対して単独では責任を負わない、いくつかの態様を有する。後に続く特許請求の範囲により具象されるような、本発明の範囲を制限することなしに、一部の特徴が、ここで簡潔に論考されることになる。本論考を考察した後、および特に、「発明を実施するための形態」と表題を付けられたセクションを読んだ後、世人は、どのように本発明の特徴が、ワイヤレスネットワーク内のデバイスに対する、改善される狭帯域チャネル選択を含む、利点を提供するかを理解することになる。
【０００９】
[0009]ワイヤレス通信のための方法、装置、およびコンピュータプログラム製品が提供される。本開示の１つの態様では、第１の局が、第１の局へ関心のサービスを提供する能力のある第２の局を発見する。第２の局は、ビーコンなしに、関心のサービスを提供し、ＮＡＮデータリンクチャネルを介した通信をサポートする、ＮＡＮデータリンクネットワークに参加する複数の局のうちの１つである。第２の局は、ＮＡＮネットワークを形成する複数の近隣局によりサポートされるＮＡＮチャネルを介した通信によって発見される。ＮＡＮチャネルは、同期を提供するビーコン動作を有する。第２の局の発見の後、第１の局は、関心のサービスに対応するデータを取得するために、ＮＡＮデータリンクチャネルを介して第２の局と通信する。
【図面の簡単な説明】
【００１０】
【図１】本開示の態様が用いられ得る、例ワイヤレス通信システムを示す図。
【図２】図１のワイヤレス通信システム内で用いられ得る例ワイヤレスデバイスの機能的ブロック線図を示す図。
【図３】本開示の態様が用いられ得る、個別のサービスまたはアプリケーションのためのデータ通信ネットワークを各々が提供する、いくつかの上側にある近隣認識ネットワーキング（ＮＡＮ）データリンクネットワークを含む、例ＮＡＮネットワークを示す図。
【図４】本開示の態様が用いられ得る、ＮＡＮネットワークのＮＡＮチャネルを介した送信の例タイムラインと、ＮＡＮデータリンクネットワークのＮＡＮデータリンクチャネルを介した送信の例タイムラインとを示す図。
【図５】本開示の態様が用いられ得る、発見局による、要請されるピア発見の例シナリオを示す図。
【図６】本開示の態様が用いられ得る、発見局による、要請されないサービスおよびメッシュ発見の例シナリオを示す図。
【図７】本開示の態様が用いられ得る、発見局による、同時のサービスおよびピア発見の例シナリオを示す図。
【図８Ａ】本開示の態様が用いられ得る、ＮＡＮネットワークによりサポートされるＮＡＮチャネルと、ＮＡＮデータリンクネットワークによりサポートされるＮＡＮデータリンクチャネルとを介した、発見局による、ワイヤレス通信の方法のフローチャートを含む図。
【図８Ｂ】本開示の態様が用いられ得る、ＮＡＮネットワークによりサポートされるＮＡＮチャネルと、ＮＡＮデータリンクネットワークによりサポートされるＮＡＮデータリンクチャネルとを介した、発見局による、ワイヤレス通信の方法のフローチャートを含む図。
【図８Ｃ】本開示の態様が用いられ得る、ＮＡＮネットワークによりサポートされるＮＡＮチャネルと、ＮＡＮデータリンクネットワークによりサポートされるＮＡＮデータリンクチャネルとを介した、発見局による、ワイヤレス通信の方法のフローチャートを含む図。
【図８Ｄ】本開示の態様が用いられ得る、ＮＡＮネットワークによりサポートされるＮＡＮチャネルと、ＮＡＮデータリンクネットワークによりサポートされるＮＡＮデータリンクチャネルとを介した、発見局による、ワイヤレス通信の方法のフローチャートを含む図。
【図９】ワイヤレス通信デバイスのための例局の機能的ブロック線図。
【図１０Ａ】本開示の態様が用いられ得る、ＮＡＮネットワークによりサポートされるＮＡＮチャネルと、ＮＡＮデータリンクネットワークによりサポートされるＮＡＮデータリンクチャネルとを介した、提供する局による、ワイヤレス通信の方法のフローチャートを含む図。
【図１０Ｂ】本開示の態様が用いられ得る、ＮＡＮネットワークによりサポートされるＮＡＮチャネルと、ＮＡＮデータリンクネットワークによりサポートされるＮＡＮデータリンクチャネルとを介した、提供する局による、ワイヤレス通信の方法のフローチャートを含む図。
【図１０Ｃ】本開示の態様が用いられ得る、ＮＡＮネットワークによりサポートされるＮＡＮチャネルと、ＮＡＮデータリンクネットワークによりサポートされるＮＡＮデータリンクチャネルとを介した、提供する局による、ワイヤレス通信の方法のフローチャートを含む図。
【発明を実施するための形態】
【００１１】
[0020]新規のシステム、装置、および方法の様々な態様が、付随する図面を参照して、本明細書で以降、より十分に説明される。しかしながら本開示は、多くの異なる形式で実施され得るものであり、本開示の全体を通して提示される、いかなる特定の構造または機能にも制限されると解釈されるべきではない。むしろこれらの態様は、本開示が、綿密で完全なものになる、および、当業者に本開示の範囲を十分に伝えることになるように提供される。本明細書での教示に基づいて、当業者は、本開示の範囲が、本発明の任意の他の態様とは独立して実装されようと、本発明の任意の他の態様と組み合わされて実装されようと、本明細書で開示される新規のシステム、装置、および方法の任意の態様を網羅することを意図されるということを察知するはずである。たとえば、本明細書で論述される任意の数の態様を使用して、装置が実装され得るものであり、または、方法が実践され得る。加えて本発明の範囲は、本明細書で論述される本発明の様々な態様に加えて、または、それらの態様以外に、他の構造、機能性、または、構造および機能性を使用して実践される、そのような装置または方法を網羅することを意図される。本明細書で開示される任意の態様は、請求項の１つまたは複数の要素により実施され得るということが理解されるべきである。
【００１２】
[0021]個別の態様が本明細書で説明されるが、これらの態様の多くの変形および置換は、本開示の範囲内にある。選好される態様の一部の利益および利点が述べられるが、本開示の範囲は、個別の利益、使用、または目標に制限されることを意図されない。むしろ本開示の態様は、異なるワイヤレス技術、システム構成、ネットワーク、および送信プロトコルであって、それらのうちの一部は、図で、および、選好される態様の、後に続く説明で、例として例解される、異なるワイヤレス技術、システム構成、ネットワーク、および送信プロトコルに広範に適用可能であることを意図される。発明を実施するための形態および図面は、制限的であるよりもむしろ本開示を単に例解するものであり、本開示の範囲は、添付される特許請求の範囲、およびその均等物により定義されている。
【００１３】
[0022]メッシュ関連付けのコンテキスト内の、「関連付ける」もしくは「関連付け」という用語、または、たとえば「ピアリング」などの、それらの用語の任意の異形は、本開示のコンテキスト内で可能な最も広範な意味を与えられるべきである。例として、第１の装置が第２の装置に関連付くときに、２つの装置は、直接関連付けられ得るものであり、または、中間装置が、２つのデバイスの間の関連付けを提供するために存在し得るということが理解されるべきである。簡潔さの目的のために、２つの装置の間の関連付けを確立するためのプロセスは、他方の装置による「関連付け応答」により後に続かれる、装置のうちの一方による「関連付け要求」を要する、ハンドシェイクプロトコルを使用して説明されることになる。ハンドシェイクプロトコルは、例として、認証を提供するためのシグナリングなどの、他のシグナリングを要し得るということが、当業者により理解されることになる。
【００１４】
[0023]「第１の」、「第２の」、その他などの命名を使用する、本明細書での要素に対する何らの言及も、一般的には、それらの要素の量または順序を制限しない。むしろこれらの命名は、本明細書では、２つ以上の、要素または要素のインスタンスの間で区別する好都合な方法として使用される。したがって、第１の、および第２の要素に対する言及は、２つの要素のみが用いられ得るということ、または、第１の要素が第２の要素に先行しなければならないということを意味しない。加えて、要素の組合せのうちの少なくとも１つを記載する専門用語（たとえば、「Ａ、Ｂ、またはＣのうちの少なくとも１つ」）は、記載される要素のうちの１つまたは複数を指す（たとえば、Ａ、またはＢ、またはＣ、または、それらの任意の組合せ）。
【００１５】
[0024]上記で説明されたように、ソーシャルＷｉ−Ｆｉネットワーキングとしても知られるＮＡＮネットワーキングは、ネットワーキング手法であり、ここにおいて、デバイスは、それらが提供し得るサービスを広告し、および／または、付近のデバイスのサービスを発見する。局のグループなどのデバイスは、ＮＡＮネットワークを形成し得る。たとえば、ＮＡＮネットワーク内の様々な局は、局の各々がサポートするアプリケーションに関して、互いに、デバイスツーデバイス（たとえば、ピアツーピア通信）基盤で通信し得る。ＮＡＮネットワークで使用される発見プロトコルは、局が、セキュアな通信と低い電力消費とを確実にしながら、（たとえば、ページングまたはクエリパケットを送ることによって）他の局により提供されるサービスを発見することと同様に、（たとえば、発見パケットを送ることによって）それらの局自体を広告することを可能にすることが望ましい。発見パケットはさらには、発見メッセージまたは発見フレームと称され得るということが留意されるべきである。ページングまたはクエリパケットはさらには、ページングもしくはクエリメッセージ、または、ページングもしくはクエリフレームと称され得るということが、さらには留意されるべきである。
【００１６】
[0025]さらには上記で説明されたように、ソーシャルＷｉ−Ｆｉメッシュネットワークとして知られるようなＮＡＮデータリンクネットワークは、典型的には、ＮＡＮデータリンクネットワーク内の局への関心のものである、１つまたは複数のサービスまたはアプリケーション、たとえば音楽ストリーミングをサポートする、デバイスまたは局のネットワークである。ＮＡＮデータリンクネットワーク内の参加者局は、ネットワーク内の他の局に関連付くことによってサービスを受信する。ＮＡＮデータリンクネットワークは、サービスにアクセスするために、アクセスポイントなどのネットワークインフラストラクチャに依存しない。この意味でＮＡＮデータリンクネットワークは、インフラストラクチャレス（infrastructure less）である。
【００１７】
[0026]図１は、本開示の態様が用いられ得る、例ワイヤレス通信システム１００を示す。ワイヤレス通信システム１００は、１つまたは複数の上側にあるＮＡＮデータリンクネットワーク１３０、１４０を伴う、ＮＡＮネットワーク１０２を含み得る。ＮＡＮネットワーク１０２の一部の態様は、ワイヤレス標準、たとえばＩＥＥＥ８０２．１１標準に準じて動作し得る。
【００１８】
[0027]ＮＡＮネットワーク１０２は、１つまたは複数の局、たとえば局１０６、１０８、１１０、１１２、１１４、および１１６と直接通信し、介在する局によって、追加的な局、たとえば局１３２、１３４、１３６、１４２、１４４、１４６、１４８と間接的に通信する、アクセスポイント１０４を含み得る。ＮＡＮネットワークを形成する局は、ＮＡＮクラスタと称され得る。一部の実装形態では局は、アクセスポイントとして使用され得る。一般的にはアクセスポイントは、ＮＡＮに対するハブまたは基地局としての働きをし得るものであり、局は、ＮＡＮのユーザとしての働きをし得る。局は、インターネットへの全体的な接続性を取得するために、Ｗｉ−Ｆｉ（たとえば、ＩＥＥＥ８０２．１１プロトコル）準拠のワイヤレスリンクによって、アクセスポイントに接続し得る。
【００１９】
[0028]局は、ラップトップコンピュータ、携帯情報端末（ＰＤＡ）、モバイル電話、その他であり得る。局はさらには、アクセス端末（ＡＴ）、加入者局、加入者ユニット、移動局、遠隔局、遠隔端末、ユーザ端末、ユーザエージェント、ユーザデバイス、ユーザ機器、もしくは何らかの他の専門用語のものを備え得る、それらとして実装され得る、または、それらとして知られ得る。一部の実装形態ではアクセス端末は、セルラー電話、コードレス電話、セッション開始プロトコル（ＳＩＰ）電話、ワイヤレスローカルループ（ＷＬＬ）局、パーソナルデジタルアシスタント（ＰＤＡ）、ワイヤレス接続能力を有するハンドヘルドデバイス、または、ワイヤレスモデムに接続される何らかの他の適した処理デバイスを備え得る。したがって、本明細書で開示される１つまたは複数の態様は、電話（たとえば、セルラー電話またはスマートフォン）、コンピュータ（たとえば、ラップトップ）、ポータブル通信デバイス、ヘッドセット、ポータブルコンピューティングデバイス（たとえば、パーソナルデータアシスタント）、エンターテイメントデバイス（たとえば、音楽もしくはビデオデバイス、または衛星ラジオ）、ゲーミングデバイスもしくはシステム、全地球測位システムデバイス、または、ワイヤレス媒体によって通信するように構成される任意の他の適したデバイスに組み込まれ得る。
【００２０】
[0029]種々のプロセスおよび方法が、アクセスポイント１０４と局１０６、１０８、１１０、１１２、１１４、１１６との間での、ＮＡＮネットワーク１０２での送信のために使用され得る。たとえば信号は、ＯＦＤＭ／ＯＦＤＭＡ技法によって、アクセスポイント１０４と局１０６、１０８、１１０、１１２、１１４、１１６との間で、送られ、受信され得る。
【００２１】
[0030]アクセスポイント１０４から、局１０６、１０８、１１０、１１２、１１４、１１６のうちの１つまたは複数への送信を容易にする通信リンクは、ダウンリンク（ＤＬ）１１８と称され得るものであり、局のうちの１つまたは複数からアクセスポイント１０４への送信を容易にする通信リンクは、アップリンク（ＵＬ）１２０と称され得る。代替的にダウンリンク１１８は、順方向リンクまたは順方向チャネルと称され得るものであり、アップリンク１２０は、逆方向リンクまたは逆方向チャネルと称され得る。一部の態様ではＤＬ通信は、ユニキャストまたはマルチキャストトラフィックインジケーションを含み得る。
【００２２】
[0031]通信リンクは、ＮＡＮネットワーク１０２の局１０６、１０８、１１０、１１２、１１４、１１６の間で確立され得る。局の間の一部の可能な通信リンクが、図１で例解される。例として第１の通信リンク１２２は、第１の局１１０から第２の局１１２への送信を容易にし得る。第２の通信リンク１２４は、第２の局１１２から第１の局１１０への送信を容易にし得る。
【００２３】
[0032]アクセスポイント１０４は、基地局として作動し、ＮＡＮネットワーク１０２の境界に対応するエリア内のワイヤレス通信カバレッジを提供し得る。アクセスポイント１０４に関連付けられ、通信のためにアクセスポイント１０４を使用する、局１０６、１０８、１１０、１１２、１１４、１１６とともに、アクセスポイント１０４は、ＮＡＮネットワークを形成する。ＮＡＮネットワーク１０２は、アクセスポイント１０４を有さないことがあり、むしろ、局１０６、１０８、１１０、１１２、１１４、１１６の間のピアツーピアネットワークとして機能し得るということが留意されるべきである。たとえばＮＡＮネットワークでは、局は、アクセスポイントに接続されることがあり、もしくは接続されないことがあり、または、Ｗｉ−Ｆｉダイレクト接続の部分であることがあり、もしくはその部分でないことがある。これらの局は、セルラーカバレッジの外にあり、それらの局自体のアドホックネットワークを形成することがある。したがって、本明細書で説明されるアクセスポイント１０４の機能は、代替的に、局１０６、１０８、１１０、１１２、１１４、１１６のうちの１つまたは複数により遂行され得る。
【００２４】
[0033]アクセスポイント１０４は、ダウンリンク１１８などの通信リンクによって、１つまたは複数のチャネル上で、ビーコン信号（または、単純に「ビーコン」）を送信し得る。チャネルであって、それを介してビーコンが送信される、チャネルは、複数個の狭帯域チャネルであり得るものであり、各チャネルは、周波数帯域幅を含み得る。ビーコンは、ワイヤレス通信システム１００の他のノード（局）に送信されるものであり、他の局とアクセスポイント１０４との間のタイミング同期を考えに入れたものである。ビーコンは、他の情報または機能性を提供し得る。そのようなビーコンは、周期的に送信され得る。連続するビーコン送信の間の期間は、スーパーフレームと称され得る。ビーコンの送信は、いくつかのグループまたは間隔に分割され得る。ビーコンは、共通クロックをセットするためのタイムスタンプ情報、ピアツーピアネットワーク識別子、デバイス識別子、能力情報、スーパーフレーム継続期間、送信方向情報、受信方向情報、近隣リスト、および／または、拡張された近隣リストであって、それらのうちの一部は、下記で追加的に詳細に説明される、それらのような情報を含み得るが、そのような情報に制限されない。したがってビーコンは、いくつかの局の間で共通な（たとえば、共有される）情報と、与えられる局に固有の情報の両方を含み得る。
【００２５】
[0034]局（たとえば、局１１６）は、アクセスポイント１０４に通信を送る、および／または、アクセスポイント１０４から通信を受信するために、アクセスポイント１０４に関連付くことを要され得る。１つの態様では、関連付くための情報は、アクセスポイント１０４によりブロードキャストされるビーコンに含まれる。そのようなビーコンを受信するために局１１６は、たとえば、カバレッジ領域にわたって、広範なカバレッジ捜索を遂行し得る。捜索はさらには、たとえば灯台方式で、カバレッジ領域を走査することによって、局１１６により遂行され得る。関連付くための情報を受信した後、局１１６は、アクセスポイント１０４に、関連付けプローブまたは要求などの参照信号を送信し得る。アクセスポイント１０４は、たとえば、インターネットまたは公衆交換電話網（ＰＳＴＮ）などの、より大きいネットワークと通信するために、バックホールサービスを使用し得る。
【００２６】
[0035]１つまたは複数のＮＡＮデータリンクネットワーク１３０、１４０は、ＮＡＮネットワーク１０２からのいくつかの局により形成される。ＮＡＮデータリンクネットワーク１３０、１４０の局は、ＮＡＮネットワーク１０２を形成する、局のグループ、たとえばＮＡＮクラスタのサブセットである。ＮＡＮデータリンクネットワーク１３０、１４０の局は、データ経路グループ、ＮＡＮ  ＤＰグループ、またはメッシュグループと称され得る。第１のＮＡＮデータリンクネットワーク１３０は、局１０６、１０８、１３２、１３４、および１３６により形成される。第２のＮＡＮデータリンクネットワーク１４０は、局１１４、１４２、１４４、１４６、および１４８により形成される。ＮＡＮデータリンクネットワーク１３０、１４０は典型的には、ＮＡＮデータリンクネットワーク内の局への関心のものである、１つまたは複数のサービスまたはアプリケーション、たとえば音楽ストリーミングをサポートする。本開示の態様によって、ピア発見の目的のための通信は、発見および同期を含むＮＡＮネットワーク１０２によりサポートされる通信チャネルによって実装され、一方で、発見後目的のための通信は、ＮＡＮデータリンクネットワーク１３０、１４０によりサポートされる異なる通信チャネルによって実装される。
【００２７】
[0036]図２は、図１のワイヤレス通信システム１００内で用いられ得るワイヤレスデバイス２０２の例機能的ブロック線図を示す。ワイヤレスデバイス２０２は、本明細書で説明される様々な方法を実装するように構成され得るデバイスの例である。ワイヤレスデバイス２０２は、図１の局１０６、１０８、１１０、１１２、１１４、１１６のうちの１つであり得るものであり、下記では局と称される。
【００２８】
[0037]局２０２は、局２０２の動作を制御するプロセッサ２０４を含み得る。プロセッサ２０４はさらには、中央処理ユニット（ＣＰＵ）と称され得る。読出し専用メモリ（ＲＯＭ）とランダムアクセスメモリ（ＲＡＭ）の両方を含み得るメモリ２０６は、プロセッサ２０４に命令とデータとを提供し得る。メモリ２０６の小部分はさらには、不揮発性ランダムアクセスメモリ（ＮＶＲＡＭ）を含み得る。プロセッサ２０４は典型的には、メモリ２０６内に記憶されるプログラム命令に基づいて、論理および算術演算を遂行する。メモリ２０６内の命令は、本明細書で説明される方法を実装するために実行可能であり得る。
【００２９】
[0038]プロセッサ２０４は、１つもしくは複数のプロセッサによって実装される処理システムの構成要素を備え得る、または、その構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲーテッドロジック、ディスクリートハードウェア構成要素、専用ハードウェア有限状態機械、または、情報の算出もしくは他の操作を遂行できる任意の他の適したエンティティの、任意の組合せによって実装され得る。
【００３０】
[0039]処理システムはさらには、ソフトウェアを記憶するための機械可読媒体を含み得る。ソフトウェアは、ソフトウェア、ファームウェア、ミドルウェア、マイクロコード、ハードウェア記述言語、または他の形で称されようと、任意のタイプの命令を意味すると、広範に解釈されるものとする。命令は、（たとえば、ソースコードフォーマット、バイナリコードフォーマット、実行可能コードフォーマット、または、コードの任意の他の適したフォーマットでの）コードを含み得る。命令は、１つまたは複数のプロセッサにより実行されるときに、処理システムが、本明細書で説明される様々な機能を遂行することを引き起こす。
【００３１】
[0040]局２０２はさらには、ワイヤレスデバイス２０２と遠隔地との間の、データの送信と受信とを可能とするための、送信器２１０および／または受信器２１２を含み得る。送信器２１０および受信器２１２は、トランシーバ２１４に組み合わされ得る。アンテナ２１６は、ハウジング２０８に取り付けられ、トランシーバ２１４に電気的に結合され得る。ワイヤレスデバイス２０２はさらには、複数個の送信器、複数個の受信器、複数個のトランシーバ、および／または、複数個のアンテナを含み得る。
【００３２】
[0041]局２０２はさらには、トランシーバ２１４により受信される信号を検出するために、および、それらの信号のレベルを定量化するために使用され得る、信号検出器２１８を含み得る。信号検出器２１８は、総エネルギー、シンボルあたりサブキャリアあたりエネルギー、電力スペクトル密度、および他の信号のような信号を検出し得る。局２０２はさらには、信号を処理することでの使用のためのＤＳＰ２２０を含み得る。ＤＳＰ２２０は、送信のためのパケットを生成するように構成され得る。一部の態様ではパケットは、物理レイヤデータユニット（ＰＰＤＵ：physical layer data unit）を備え得る。
【００３３】
[0042]局２０２は、（今後、「第１の局」と称される）局２０２と（今後、「第２の局」と称される）別の局との間の、発見と通信とをサポートするために使用される、発見モジュール２３０と発見後モジュール２３２とを含み得る。発見モジュール２３０は、第１の局へ関心のサービスを提供する能力のある第２の局を発見するように構成され得る。第２の局は、ＮＡＮネットワークを形成する複数の近隣局によりサポートされる、第１のチャネル、たとえばＮＡＮチャネルを介した通信によって発見され得る。第２の局は、第２のチャネル、たとえばＮＡＮデータリンクチャネルを介した通信をサポートする、ＮＡＮデータリンクネットワークに参加する複数の局のうちの１つである。第２の局の発見の後、第１の局の発見後モジュール２３２は、関心のサービスに対応するデータを取得するために、第２のチャネルを介して第２の局と通信する。
【００３４】
[0043]ＮＡＮネットワークによりサポートされるＮＡＮチャネルは、局による発見を可能とする発見ウィンドウの間に、周期的な発見フレームと同期ビーコンとを提供するＮＡＮチャネルであり得る。ＮＡＮデータリンクネットワークによりサポートされる第２のチャネルは、周期的な送信ウィンドウの間の、コンテンツ配信またはサービス配信を考えに入れたものである、ＮＡＮデータリンクチャネルであり得る。第２のチャネルは典型的には、発見フレームと同期ビーコンとを提供するのではなく、代わりに、これらの機能のための第１のチャネルに依拠する。ＮＡＮデータリンクネットワークは、ＮＡＮネットワークの上部上に築造されているように説明され得る。ＮＡＮネットワークおよびＮＡＮデータリンクネットワークは、同じチャネル／周波数上で動作することがあり、または動作しないことがある。各サービスに対してＮＡＮデータリンクネットワークにより提供されるパラメータまたは属性は、サービスを搬送するＮＡＮデータリンクチャネルに関する情報を提供する。
【００３５】
[0044]局２０２は、一部の態様ではユーザインターフェース２２２をさらに備え得る。ユーザインターフェース２２２は、キーパッド、マイクロホン、スピーカ、および／またはディスプレイを備え得る。ユーザインターフェース２２２は、局２０２のユーザに情報を伝え、および／または、ユーザから入力を受信する、任意の要素または構成要素を含み得る。
【００３６】
[0045]局２０２の様々な構成要素は、バスシステム２２６により一体に結合され得る。バスシステム２２６は、データバスを含み得るものであり、たとえば、データバスに加えて、電力バス、制御信号バス、およびステータス信号バスを同様に含み得る。局２０２の構成要素は、何らかの他のメカニズムを使用して互いに、一体に結合され得る、または、入力を受け付け得る、もしくは提供し得る。
【００３７】
[0046]いくつかの別々の構成要素が図２で例解されるが、構成要素のうちの１つまたは複数は、組み合わされ得る、または共通に実装され得る。たとえばプロセッサ２０４は、プロセッサ２０４に関して上記で説明された機能性を実装するためにのみではなく、さらには、信号検出器２１８および／またはＤＳＰ２２０に関して上記で説明された機能性を実装するために使用され得る。さらに、図２で例解される構成要素の各々は、複数の別々の要素を使用して実装され得る。
【００３８】
[0047]図３は、本開示の態様が用いられ得る、個別のサービスまたはアプリケーションのためのデータ通信ネットワークを各々が提供する、いくつかの上側にあるＮＡＮデータリンクネットワーク３０２、３０４、３０６を含む、例ＮＡＮネットワーク３００を示す。ＮＡＮネットワーク３００は、「ＮＡＮチャネル」と称される第１の通信チャネルを各々がサポートする、いくつかの局３０８からなる。ＮＡＮネットワーク３００内の局３０８は、同期されるクロックを有し、発見のために周期的に一体でウェイクアップし、同じＮＡＮチャネル上で動作する。ＮＡＮチャネルは、図１を参照して上記で説明するように、ＩＥＥＥ８０２．１１標準によって、ビーコンと同期とをサポートし得る。ＮＡＮネットワーク内の局３０８は、「近隣局」と称され得る。
【００３９】
[0048]ＮＡＮデータリンクネットワーク３０２、３０４、３０６の各々は、ＮＡＮネットワーク３００からのいくつかの局３０８により形成される。ＮＡＮデータリンクネットワーク３０２、３０４、３０６は典型的には、ＮＡＮデータリンクネットワーク内の局への関心のものである、１つまたは複数のサービスまたはアプリケーション、たとえば音楽ストリーミングをサポートする。それぞれのＮＡＮデータリンクネットワーク３０２、３０４、３０６内の局３０８は、「ＮＡＮデータリンクチャネル」と称される第２の通信チャネルをサポートする。ＮＡＮデータリンクチャネルは、ＮＡＮデータリンクネットワーク３０２、３０４、３０６によりサポートされる、１つまたは複数のサービスに関係付けられるデータの移送をサポートする。ＮＡＮデータリンクチャネルは典型的には、ビーコンまたは同期を提供せず、同期のために、下側にあるＮＡＮネットワーク３００に依拠する。ＮＡＮデータリンクネットワーク３０２、３０４、３０６に参加する、局のグループ、たとえばデータ経路グループ、ＮＡＮデータ経路グループは、シングルホップまたはマルチホップであり得るものであり、ページングウィンドウを共有し得るものであり、共通のセキュリティ証明書を有し得る。セキュリティ証明書に基づいて、データ経路グループは限定され得るものであり、その事例ではデータ経路グループは、帯域外証明書を要し得る。ＮＡＮデータリンクネットワーク３０２、３０４、３０６内の局３０８は、ＮＡＮデータリンクネットワーク内の他の局のサービス発見メッセージをプロキシに送り得るものであり、ＮＡＮデータリンクネットワークによりサポートされるサービスに関係付けられるデータをフォワーディングし得る。ＮＡＮデータリンクネットワークに参加する局３０８は、「局」と称され得る。ＮＡＮネットワーク内にもあり、ＮＡＮデータリンクネットワークに参加もする局３０８は、局と近隣局のいずれかまたは両方と称され得る。
【００４０】
[0049]要約するとＮＡＮネットワーク３００は、局がサービスを発見することを可能とする、ビーコンと、同期と、小さい広告および加入フレームとを提供する。ＮＡＮネットワーク３００の主な目的は、サービス発見を支援することである。先に述べられたように、ＮＡＮネットワーク仕様は、ＮＡＮネットワーク３００に参加する局３０８の間のデータやり取りに対処しない。したがって、ＮＡＮネットワークによるデータのやり取りは存しない。他方でＮＡＮデータリンクネットワーク３０２、３０４、３０６は、発見後接続性を支援するために、そのことによりデータやり取りをサポートするために、ＮＡＮネットワーク３００の上部上に築造される。
【００４１】
[0050]図４は、本開示の態様が用いられ得る、ＮＡＮチャネル４００を介した送信、および、ＮＡＮデータリンクチャネル４０２を介した送信に対する例タイムラインを示す。ＮＡＮチャネルは、個別のチャネルまたは周波数、たとえばチャネル６上で動作し得る。ＮＡＮチャネル４００タイムラインは、発見ウィンドウ４０４と、発見ビーコン４０６とからなる。発見ウィンドウ４０４は、１６ｍｓの長さであり、周期的に、たとえば５１２ｍｓごとに起こる。各発見ウィンドウ４０４の間、ＮＡＮネットワーク３００内の局のすべてはアウェイクである。発見フレームまたは発見メッセージ、および同期ビーコン４１２が、発見ウィンドウ４０４の間に送信される。発見メッセージは、何のサービスを局が提供できるかを広告するサービス広告ブロードキャストメッセージと、局が探索しているサービスを示すサービス発見メッセージとを含み得る。サービス広告メッセージは、サービスを提供するＮＡＮデータリンクネットワークの属性と、サービス識別情報（たとえば、サービス名のハッシュ）と、インスタンス識別情報（たとえば、パブリッシュＩＤおよび／またはサブスクライブＩＤ）と、その他とを含み得る。属性は、新しい局が、サービスを得るためにＮＡＮデータリンクネットワークに加わる助けとなる。同期ビーコンは、ＮＡＮネットワーク３００内の実在する局に対するタイミング補正のために使用される。
【００４２】
[0051]発見ビーコン４０６は、近接の発見ウィンドウ４０４の間の間隔の間に送信される。発見ビーコン４０６は、ＮＡＮネットワークの外側の局により、その局が、加わることに関心のあり得る、実在するＮＡＮネットワークを位置特定するために使用される。ＮＡＮネットワーク３００内の局３０８のサブセットのみが、発見ビーコン４０６を送信するためにアウェイクする。
【００４３】
[0052]ＮＡＮデータリンクチャネル４０２は、ＮＡＮチャネル４００と同じチャネル／周波数上で動作することがあり、または動作しないことがある。ＮＡＮデータリンクチャネル４０２は、間隔を置いて配置される（spaced apart）送信ウィンドウ４０８からなる。各送信ウィンドウ４０８は、ページングウィンドウ４１０を含む。ページングウィンドウ４１０は、時間の期間であって、その間、ＮＡＮデータリンクネットワーク３０２、３０４、３０６に参加するすべての局がウェイクアップする、すなわちアクティブ状態に入る、時間の期間である。先に述べられたように、ＮＡＮデータリンクネットワーク３０２、３０４、３０６内の局は、ＮＡＮデータリンクチャネル４０２上でビーコンしない。したがって代替のメカニズムが、ＮＡＮデータリンクネットワーク３０２、３０４、３０６内のスリープする局へのトラフィックを示すために使用される。各送信ウィンドウ４０８の始まりでのページングウィンドウ４１０は、局が、送るためのトラフィックを有するかどうかを示すために使用される。ＮＡＮデータリンクネットワーク３０２、３０４、３０６では、すべての局が、ウェイクアップおよび送信に関して時間的に同期される。すべての参加する局は、それらのトラフィックインジケーションをリッスンするために（または、送るために）ページングウィンドウ４１０の間ウェイクアップする。局は、ページングウィンドウ４１０の間に示されるトラフィックが存しないならば、送信ウィンドウ４０８の残りの間、スリープする（電力節約モードに入る）。ＮＡＮデータリンクチャネル４０２の送信ウィンドウ４０８およびページングウィンドウ４１０は、ＮＡＮチャネル４００の連続的な発見ウィンドウ４０４の間に繰返し得る。ルーティングメッセージ（たとえば、ＰＲＥＱ、ＰＲＥＰ、ＲＡＮＮ、その他）が、すべての局がアウェイクであると予期される際に、送信ウィンドウの間に送られ得る。
【００４４】
[0053]したがって局は、チャネルの発見ウィンドウ４０４の間に、個別のチャネル／周波数上で、ＮＡＮチャネル４００上で動作し得る。これらの時間の間に、局は発見機能を遂行し得る。ＮＡＮチャネル４００の連続的な発見ウィンドウ４０４の間の時間の間に、局は、ＮＡＮチャネル４００のチャネル／周波数と同じであることがあり、または同じでないことがある、個別のチャネル／周波数上で、ＮＡＮデータリンクチャネル４０２上で動作し得る。ＮＡＮデータリンクチャネル４０２の送信ウィンドウ４０８の間に、局は、コンテンツ配信機能を遂行し得る。
【００４５】
[0054]下記で説明されるのは、特にＮＡＮネットワークとＮＡＮデータリンクネットワークとを含む、通信ネットワークに関係付けられる、ピア発見および通信のための３つの実装形態である。実装形態は、ＮＡＮネットワークの第１のチャネルを介した通信による、ピアデバイス（または、ピア局）によるピア発見と、ＮＡＮデータリンクネットワークの第２のチャネルを介した、発見後通信、たとえばコンテンツ通信とを可能とする。ピア局は、本明細書で使用される際に、発見後通信の目的のために、局への関心のサービスを提供するＮＡＮデータリンクネットワークの１ホップ内にある、局を指し得る。実際のＮＡＮデータリンクネットワークそれ自体は、マルチホップであり得るものであり、提供されるコンテンツは、コンテンツを受信することに関心のあるピア局から複数個のホップ離れたものであり得る。ＮＡＮデータリンクネットワークは、マルチホップデータ配信をサポートし得る。
【００４６】
[0055]要請されるサービス／ピア発見
【００４７】
[0056]図５は、本開示の態様が用いられ得る、サービスを捜索する（本明細書では、「発見局」と称される）局５０２による、要請されるピア発見の例シナリオ５００を示す。サービスを捜索する、発見局５０２は、サービス発見メッセージ５１０を送る。発見局５０２はさらには、加入者、受信器、または受信者と称され得る。発見局５０２は、ＮＡＮネットワーク５０６の部分であり得る。しかしながら、例解の明確性のために、図５での発見局５０２は、ＮＡＮネットワーク５０６の境界を画す囲みの外側で示される。単純なサブスクライブメッセージであり得る、サービス発見メッセージ５１０は、発見局５０２が、受信することに関心のあるサービスに関する情報（たとえば、サービス名、サービス識別情報、その他）を含む。図４を参照すると、サービス発見メッセージは、発見ウィンドウ４０４の間に、ＮＡＮチャネル４００を介して送られる。一部の実装形態ではサービス発見メッセージ５１０は、ブロードキャストメッセージであり得る。
【００４８】
[0057]直接、またはプロキシとしてのいずれかで、サービスを提供する能力のある、ＮＡＮネットワーク５０６内の１つまたは複数の局５０４は、サービス発見メッセージ５１０に応答して、サービス応答メッセージ５１２を送り得る。このコンテキストでは、サービス応答メッセージを送る１つまたは複数の局５０４は、「応答する局」と称され得る。サービス応答メッセージ５１２は、サービスを提供するＮＡＮデータリンクネットワーク５０８に対応し、そのＮＡＮデータリンクネットワーク５０８を識別する情報を含む。応答する局５０４は、識別されるＮＡＮデータリンクネットワーク５０８の部分である。サービス応答メッセージ５１２に含まれる情報は、ＮＡＮデータリンクネットワーク５０８の、ＮＡＮデータリンクＩＤ、ＮＡＮデータリンクチャネル、ＮＡＮデータリンク送信スケジュール、およびＮＡＮデータリンクキーなどのパラメータを含み得る。図４を参照すると、サービス応答メッセージは、発見ウィンドウ４０４の間に、ＮＡＮチャネル４００を介して送られる。サービス応答メッセージ５１２は典型的には、発見ウィンドウであって、その中でサービス発見メッセージ５１０が送られた、発見ウィンドウの後続の、発見ウィンドウで送られる。
【００４９】
[0058]サービス応答メッセージ５１２の受信の際に、発見局５０２は、サービスを提供するＮＡＮデータリンクネットワーク５０８を決定するために、ならびに、ＮＡＮデータリンクネットワーク５０８およびＮＡＮネットワーク５０６内の局５０４のリストを創出するために、サービス応答メッセージに含まれるＮＡＮデータリンクパラメータにより提供されるような、十分な情報を有する。発見局５０２は次いで、識別されるＮＡＮデータリンクネットワーク５０８内の局５０４のうちの１つに関連付くために、関連付けメッセージ５１４を送り得る。発見局５０２により送られる関連付けメッセージ５１４は、発見局５０２と、識別されるＮＡＮデータリンクネットワーク５０８内の局５０４との間の、それらの間のデータトラフィックを暗号化するための、セキュリティキーを確立するために必要とされるセキュリティ情報（たとえば、１つまたは複数のノンス値）とともに、発見局５０２の物理およびＭＡＣレイヤ能力を含み得る。物理およびＭＡＣレイヤ能力は、データレートと、どの符号化スキームを使用すべきかと、サポートされるセキュリティアルゴリズムとを含み得る。関連付けメッセージ５１４に含まれる情報に基づいて、発見局５０２、および、識別されるＮＡＮデータリンクネットワーク５０８内の局は、ピアリング配置構成を確立する。図４を参照すると、関連付けメッセージは、ＮＡＮデータリンクネットワーク５０８に参加するすべての局５０４がアウェイクであることを予期されるときに、ページングウィンドウ４１０の間に、ＮＡＮデータリンクチャネル４０２を介して送られる。
【００５０】
[0059]発見局５０２は周期的に、ＮＡＮデータリンクチャネルを介して、ピア発見メッセージ５１６を送り得る、またはブロードキャストし得る。ピア発見メッセージ５１６は、発見局５０２のＰＨＹ／ＭＡＣ能力に関する情報を含む。ピア発見メッセージ５１６は、発見局５０２のピアの現在の数、発見局５０２が加入させられるサービス、および、受け付けるピアの数などの、追加的な情報を含み得る。この情報は、ピア発見メッセージ５１６に応答すべきかどうかを決定するために、発見局５０２の近隣にある局により使用され得る。発見局５０２は、局から応答メッセージを受信し、応答メッセージに基づいて、近隣局の、その発見局５０２のリストを更新し得る。
【００５１】
[0060]前述の要請される手法は、発見局５０２による要求のアクティブな送ることを必然的に含む。この手法は、局に対する電力保存、および拡張されるバッテリ寿命が重大事である事例では、最適でないことがある。この手法は、多量の電力を有する、または、電源に接続される局に対しては有益であり得る。
【００５２】
[0061]要請されるピア発見が続く要請されないサービス／メッシュ発見
【００５３】
[0062]図６は、本開示の態様が用いられ得る、ピア発見が続く、発見局６０２による要請されないサービスおよびメッシュ発見の例シナリオ６００を示す。発見局６０２は、ＮＡＮネットワーク６０６の部分であり得る。しかしながら、例示の明確性のために、図６での発見局６０２は、ＮＡＮネットワーク６０６の境界を示す囲みの外側に示される。ＮＡＮネットワーク６０６内のＮＡＮデータリンクネットワーク６０８内の１つまたは複数の局６０４は、サービス広告ブロードキャストメッセージ６１２を送り得る。このコンテキストでは、サービス広告ブロードキャストメッセージ６１２を送る１つまたは複数の局６０４は、「広告する局」と称され得る。サービス広告ブロードキャストメッセージ６１２を送る広告する局６０４は、直接サービスを提供し、または、サービスを提供する別の局に対するプロキシとしての働きをし得る。後者の事例では、サービスを提供するその別の局は、マルチホップサービス発見を可能とする。図４を参照すると、サービス広告ブロードキャストメッセージは、ＮＡＮチャネル４００の発見ウィンドウ４０４の間に送られ得る。
【００５４】
[0063]サービス広告ブロードキャストメッセージ６１２は、サービスに対応する情報と、広告されているサービスを提供するＮＡＮデータリンクネットワーク６０８に対応するパラメータとを含む。パラメータは、ＮＡＮデータリンクＩＤと、ＮＡＮデータリンクチャネルと、ＮＡＮデータリンク送信スケジュールと、ＮＡＮデータリンクキーとを含み得る。サービス広告ブロードキャストメッセージ６１２は、発見局６０２が、サービスを発見することと、サービスが配信されているＮＡＮデータリンクネットワーク６０８を見出すこととを可能とする。この実装形態では、発見局６０２は、第１の実装形態でのようには、サービス発見メッセージを送っていない。これは、それが、発見局６０２の電力を保存するという点で有利である。
【００５５】
[0064]発見局６０２が、発見局６０２が関心のあるサービスを広告するサービス広告ブロードキャストメッセージ６１２を受信すると、発見局は、ピア発見メッセージ６１４を送り得る。図４を参照すると、ピア発見メッセージ６１４は、発見ウィンドウであって、その間にサービス広告ブロードキャストメッセージが送られた、発見ウィンドウの後続の、ソーシャルＷｉ−Ｆｉチャネル４００チャネルの発見ウィンドウの間に送られる。ピア発見メッセージ６１４は、サービス、および、発見局６０２が加わることを希望するＮＡＮデータリンクネットワーク６０８に関する情報を含む。ピア発見メッセージ６１４は、発見局６０２が１ホップ近隣に関心のあるものであるならば、１ホップに制限され得る。言い換えればピア発見メッセージ６１４は、発見局６０２から１ホップである局により受信され、受信する局は、他の局にメッセージをフォワーディングしない。
【００５６】
[0065]関心のサービスを提供するＮＡＮデータリンクネットワーク６０８内のすべての局６０４、６１０を含む、ＮＡＮネットワーク６０６内のすべての局は、発見ウィンドウ４０４の間、アウェイクで、利用可能であるので、近隣局は、発見局６０２により送られるピア発見メッセージ６１４を受信できる。発見局６０２の１ホップ内にあり、ＮＡＮデータリンクネットワーク６０８の部分である、近隣にある局６０４、６１０は、発見局６０２からピア発見メッセージ６１４を受信する。ＮＡＮデータリンクネットワーク６０８の部分である、近隣にある局６０４、６１０のうちの１つまたは複数は、ここで、関連付けメッセージ６１６を送り得る。近隣にある局６０４、６１０により送られる関連付けメッセージ６１６は、発見局６０２と、近隣にある局６０４、６１０との間の、それらの間のデータトラフィックを暗号化するための、セキュリティキーを確立するために必要とされるセキュリティ情報（たとえば、１つまたは複数のノンス値）とともに、近隣にある局の物理およびＭＡＣレイヤ能力を含み得る。図４を参照すると、関連付けメッセージは、ＮＡＮデータリンクチャネル４０２のページングウィンドウ４１０の間に、１つまたは複数の近隣にある局６０４、６１０により送られ得る。近隣にある局６０４、６１０により送られる関連付けメッセージ６１６は、発見局６０２が、ＮＡＮデータリンクネットワーク６０８内の、近隣にある局６１０とピアし、そのことにより、ＮＡＮデータリンクネットワークに加わることを可能とする、その個別の近隣にある局に関する情報を提供する。
【００５７】
[0066]密集したＮＡＮネットワーク６０６では、ＮＡＮチャネルを介したピア発見メッセージ６１４の送信は、ＮＡＮデータリンクネットワーク６０８内の局６０４、６１０からの、大きい数の関連付けメッセージ６１６を結果として生じさせ得る。１つの実装形態では、発見局６０２は、１つまたは複数の判定基準に基づいて、選択的にピアし得る。たとえば発見局６０２は、発見局６０２に近い局とピアすることに決め得る。発見局６０２は、信号強度の測定値に基づいて、局６０４、６１０の近さを決定し得る。たとえば発見局６０２は、局から関連付けメッセージ６１６を受信し、関連付けメッセージ６１６の信号強度を決定し、決定された信号強度に基づいて、局とピアすべきかどうかを決定し得る。発見局６０２により決定される信号強度は、受信信号強度インジケーション（ＲＳＳＩ）測定値であり得るものであり、発見局６０２は、しきい値の値より上のＲＳＳＩ測定値を有する局６０４、６１０とピアし得る。
【００５８】
[0067]別のシナリオでは発見局６０２は、発見局に近い局、および、発見局からより遠く離れている局の混合とピアすることに決め得る。そのようにすることは、参加する局がより地理的に分散しているので、ＮＡＮデータリンクネットワーク６０８に参加するすべての局に対して、均一なカバレッジを提供し得る。これは、すべての局が、近い局とピアすることに決めたので、遠距離局がＮＡＮデータリンクネットワーク６０８の外に残されるという状況を避け得る。発見局６０２は、弱い信号強度に基づいてピアリングのための遠距離局を選択し得る。言い換えれば発見局は、複数個の他の局から信号を取得し、信号強度を比較し、最も弱い信号強度を有する局を選択し得る。
【００５９】
[0068]さらに別のシナリオでは発見局６０２は、実存するピア配置構成に基づいてピアし得る。たとえば、第１の可能性のある局であって、それとピアする、第１の可能性のある局は、４つの他の局とすでにピアしており、第２の可能性のある局であって、それとピアする、第２の可能性のある局は、２つの他の局とピアしているのみであるならば、発見局は、より少ない数のピアを有する、可能性のある局とピアすることに決め得る。
【００６０】
[0069]同時サービスおよびピア発見
[0070]図７は、本開示の態様が用いられ得る、発見局７０２による、同時サービスおよびピア発見の例シナリオ７００を示す。発見局７０２は、ＮＡＮネットワーク７０６の部分であり得る。しかしながら、例解の明確性のために、図７での発見局７０２は、ＮＡＮネットワーク７０６の境界を示す囲みの外側で示される。背景として、ＮＡＮデータリンクネットワーク７０８の部分である局７０４は、同じＮＡＮデータリンクネットワーク７０８内の他の局、および、ＮＡＮデータリンクネットワークの下側にあるＮＡＮネットワーク７０６内の他の局のナレッジを有する。このナレッジは、たとえば、これらの他の局により送られるサービス広告ブロードキャストメッセージから取得され得る。これらのサービス広告ブロードキャストメッセージは、広告されているサービスを提供するＮＡＮデータリンクネットワークのパラメータに対応する情報を含む。ＮＡＮデータリンクパラメータは、ＮＡＮデータリンクＩＤと、ＮＡＮデータリンクチャネルと、ＮＡＮデータリンク送信スケジュールと、メッシュキーとを含み得る。
【００６１】
[0071]このナレッジに基づいて、ＮＡＮデータリンクネットワーク７０８に参加する局７０４からのサービス広告メッセージ７１４は、「プロバイダ局」として直接、または「プロキシ局」として間接的に、のいずれかで、局が提供し得るサービスに対応する情報のみでなく、さらには、ＮＡＮデータリンクパラメータとＮＡＮネットワーク７０６とに対応する情報を含み得る。たとえば、プロバイダ局７０４またはプロキシ局のサービス広告メッセージ７１４は、プロバイダ／プロキシ局７０４に対して１ホップ局である局７１０、７１２を識別する情報を含むことができる。
【００６２】
[0072]発見局７０２が、ＮＡＮデータリンクネットワーク７０８情報とＮＡＮネットワーク７０６情報とを伴う、このサービス広告メッセージ７１４を受信するときに、発見局は、局を選択するために、関連付けメッセージ７１６を送り付けることができる。たとえば発見局７０２が、１ホップのみ離れている局とピアすることを選好するならば、発見局７０２は、１ホップ近隣内のすべての局７０４、７１０、７１２に、関連付けメッセージ７１６を直接送り得る。発見局７０２により送られる関連付けメッセージ７１６は、発見局７０２と、プロバイダ／プロキシ局７０４、７１０、または７１２との間の、２つの局の間のデータトラフィックを暗号化するための、セキュリティキーを確立するために必要とされるセキュリティ情報（たとえば、１つまたは複数のノンス値）とともに、発見局の物理およびＭＡＣレイヤ能力を含み得る。図４を参照すると、関連付けメッセージは、ページングウィンドウ４１０の間に、ＮＡＮデータリンクチャネル４０２を介して送られる。図７の実装形態は、図６の先の実装形態で、発見局６０２により送られるピア発見メッセージ６１４を回避する。ここで、発見局７０２は、他の局から関連付けメッセージを受信するのを待つ代わりに、関連付けメッセージ７１６を送り出す。
【００６３】
[0073]関連付けメッセージ７１６内の追加的な情報は、発見局７０２がピアする局７０４、７１０、７１２を示し得る。たとえば関連付けメッセージ７１６は、発見局７０２が、サービスを提供する局に対して、指定された数のホップ内にあるプロキシ局とピアするという選好を示し得る。これは、プロバイダ局と、発見局７０２との間のホップの数を低減することが、サービスのレイテンシを低減するという点で、有益であり得る。別の例では関連付けメッセージ７１６は、発見局７０２が、しきい値より上のバッテリ強度のレベルを有する局とピアするという選好を示し得る。これは、それが、発見局７０２によりピアリングのために選択されている局が、十分な量の時間の間、発見局とのピアリング配置構成を維持するのに十分な電力を有するということを確実にし得るという点で、有益である。別の例では関連付けメッセージ７１６は、発見局７０２がピアし得るピアの数に関する制限を示し得る。この目的で、８０２．１１ｓメッシュ標準からのメッシュ構成要素（Mesh configuration element）のメッシュフォーメーション情報フィールド（Mesh Formation Info field）およびメッシュ能力フィールド（Mesh Capabilities Field）が、この数を示すために使用され得る。
【００６４】
[0074]経時的にＮＡＮネットワークは、局モビリティ、あるいは、ＮＡＮネットワーク、もしくは、ＮＡＮネットワークの上側にあるＮＡＮデータリンクネットワークに加わる、または、それらのネットワークから離脱する局に起因して変化し得る。したがって上記で説明された実装形態では、ＮＡＮネットワーク、および、上側にあるＮＡＮデータリンクネットワーク内の局とピアした、発見局は、ピア発見メッセージを周期的に送り得る。ピア発見メッセージに応答して、発見局７０２は、局から応答メッセージを受信し、応答メッセージに含まれる情報に基づいて、近隣局の、その発見局７０２のリストを更新し得る。そのような情報は、応答メッセージを送る局がピアしている局の識別情報を含み得る。バッテリ寿命を保護するために、局は、近隣情報を更新する目的のために、いつピア発見メッセージを送るべきかに関するインテリジェント決定を行い得る。そのような決定は、たとえば、新しい局が、ＮＡＮネットワークもしくはＮＡＮデータリンクネットワークに加わってからの、または、ピアリング要求に応答してからの時間に基づくものであり得る。
【００６５】
[0075]図８Ａは、サービスを発見する第１の局のワイヤレス通信の方法である。ステップ８０２で、第１の局は、第１の局へ関心のサービスを提供する能力のある第２の局を発見する。第２の局は、第１のチャネル、たとえば、ＮＡＮネットワークを形成する複数の近隣局によりサポートされるＮＡＮチャネルを介した通信によって発見される。ＮＡＮチャネルは、ビーコンを提供し、発見と同期とをサポートする。第２の局は、第２のチャネル、たとえばＮＡＮデータリンクチャネルを介した通信をサポートする、ＮＡＮデータリンクネットワークに参加する複数の局のうちの１つである。第２のチャネルは、ビーコンを提供せず、発見と同期とをサポートしない。したがって、ＮＡＮデータリンクネットワークに参加する複数の局は、ＮＡＮチャネルにより提供される同期に依拠する。ステップ８０４で、第２の局の発見の後、第１の局は、関心のサービスに対応するデータを取得するために、ＮＡＮデータリンクチャネルを介して第２の局と通信する。
【００６６】
[0076]ステップ８２２で、第１の局は、任意選択により、ＮＡＮデータリンクチャネルを介してピア発見メッセージを送り得る。ステップ８２４で、ピア発見メッセージの結果として１つまたは複数の局から受信されるメッセージに応答して、第１の局は、現在のところＮＡＮネットワーク内にあってＮＡＮデータリンクネットワークに参加する複数の近隣局に対応する近隣リストを更新し得る。そのような更新することは、近隣リストに、１つまたは複数の新しい近隣局を追加することを含み得る。第１の局は次いで、新しい近隣局のうちの少なくとも１つに、ＮＡＮデータリンクチャネルを介して関連付けメッセージを送り得る。
【００６７】
[0077]図８Ｂは、局発見の１つの実装形態のフローチャートである。ステップ８０６で、および図５を追加的に参照すると、第１の局５０２は、ＮＡＮチャネルを介してサービス発見メッセージ５１０を送ることによって、第２の局５０４を発見する。サービス発見メッセージ５１０は、関心のサービスに対応し、その関心のサービスを識別する情報を含む。ステップ８０８で、第１の局５０２は次いで、近隣局のうちの少なくとも１つ、たとえば第２の局５０４から、サービス応答メッセージ５１２を受信する。サービス応答メッセージ５１２は、関心のサービスを提供するＮＡＮデータリンクネットワーク５０８に対応する情報を含む。ステップ８１０で、第１の局５０２は次いで、サービス応答メッセージで識別される、ＮＡＮデータリンクネットワーク内の局のうちの１つまたは複数に、ＮＡＮデータリンクチャネルを介して関連付けメッセージ５１４を送ることによって、第２の局と通信する。１つまたは複数の局は、第２の局５０４を含む。
【００６８】
[0078]図８Ｃは、局発見の別の実装形態のフローチャートである。ステップ８１２で、および図６を追加的に参照すると、第１の局６０２は、ＮＡＮチャネルを介してサービス広告ブロードキャストメッセージ６１２を受信することによって、第２の局６０４を発見する。サービス広告ブロードキャストメッセージ６１２は、関心のサービスと、関心のサービスを提供するＮＡＮデータリンクネットワーク６０８とに対応し、それらの関心のサービスと、ＮＡＮデータリンクネットワーク６０８とを識別する情報を含む。ステップ８１４で、第１の局６０２は次いで、複数の近隣局に、ＮＡＮチャネルを介してピア発見メッセージ６１４を送り、ここにおいて、複数の近隣局は、関心のサービスを提供するＮＡＮデータリンクネットワークに参加する複数の局を含む。ピア発見メッセージ６１４は、関心のサービスと、関心のサービスを提供するＮＡＮデータリンクネットワークとに対応する情報を含む。ステップ８１６で、第１の局６０２は次いで、ピア発見メッセージを受信した局６０４、６１０のうちの１つまたは複数から、ＮＡＮデータリンクチャネルを介して関連付けメッセージ６１６を受信することによって、第２の局６０４と通信する。複数の局６０４、６１０のうちの１つまたは複数は、第２の局を含む。
【００６９】
[0079]図８Ｃは、局発見の別の実装形態のフローチャートである。ステップ８１８で、および図７を追加的に参照すると、第１の局７０２は、ＮＡＮチャネルを介してサービス広告メッセージ７１４を受信することによって、第２の局７０４、７１０、７１２を発見する。サービス広告メッセージ７１４は、関心のサービスと、関心のサービスを提供するＮＡＮデータリンクネットワーク７０８と、ＮＡＮネットワーク７０６とに対応し、それらの関心のサービスと、ＮＡＮデータリンクネットワーク７０８と、ＮＡＮネットワーク７０６とを識別する情報を含む。サービス広告メッセージ７１４は、サービス広告メッセージで識別される、ＮＡＮデータリンクネットワーク７０８に含まれる局により送られる。ステップ８２０で、第１の局７０２は次いで、サービス応答メッセージで識別される、ＮＡＮデータリンクネットワーク内の複数の局のうちの１つまたは複数に、ＮＡＮデータリンクチャネルを介して関連付けメッセージ７１６を送ることによって、第２の局７０４、７１０、７１２と通信し、ここにおいて、複数の局のうちの１つまたは複数は、第２の局を含む。
【００７０】
[0080]図９は、ワイヤレス通信のための例局９００の機能的ブロック線図である。局９００は、受信器９０５と、処理システム９１０と、送信器９１５とを含み得る。処理システム９１０は、発見モジュール９１２と、発見後モジュール９１４とを含み得る。
【００７１】
[0081]処理システム９１０は、図２で示されるワイヤレスデバイス２０２の要素に対応し得る。処理システム９１０、送信器９１５、および／または受信器９０５は、第１の局へ関心のサービスを提供する能力のある第２の局を発見するように構成され得る。第２の局は、第１のチャネル、たとえば、ＮＡＮネットワークを形成する複数の近隣局によりサポートされるＮＡＮチャネルを介した通信によって、発見モジュール９１２により発見され得る。第２の局は、第２のチャネル、たとえばＮＡＮデータリンクチャネルを介した通信をサポートする、ＮＡＮデータリンクネットワークに参加する複数の局のうちの１つである。第２の局の発見は、上記で説明された図８の方法によって、発見モジュール９１２、送信器９１５、および／または受信器９０５により遂行され得る。その目的で、発見モジュール９１２、送信器９１５、および／または受信器９０５のうちの１つまたは複数は、図８の方法の発見態様を遂行するように構成される。
【００７２】
[0082]発見後モジュール９１４、送信器９１５、および／または受信器９０５は、第２の局の発見の後、関心のサービスに対応するデータを取得するために、ＮＡＮデータリンクチャネルを介して第２の局と通信するように構成され得る。第２の局との通信は、上記で説明された図８Ａ、図８Ｂ、図８Ｃ、および図８Ｄの方法によって、発見後モジュール９１４、送信器９１５、および／または受信器９０５により遂行され得る。その目的で、発見後モジュール９１４、送信器９１５、および／または受信器９０５のうちの１つまたは複数は、図８の方法の通信する態様を遂行するように構成される。
【００７３】
[0083]１つの構成では、図８Ａ、図８Ｂ、図８Ｃ、および図８Ｄの方法を実装する局は、ＮＡＮネットワークを形成する複数の近隣局によりサポートされるＮＡＮチャネルを介した通信によって、第１の局へ関心のサービスを提供する能力のある第２の局を発見するための手段と、第２の局は、ＮＡＮデータリンクチャネルを介した通信をサポートする、ＮＡＮデータリンクネットワークに参加する複数の局のうちの１つである、ＮＡＮデータリンクチャネルを介して第２の局と通信するための手段とを含む。局はさらには、ＮＡＮデータリンクチャネルを介してピア発見メッセージを送るための手段と、１つまたは複数の局から受信されるメッセージに応答して、現在のところ近隣ネットワーク内の近隣局に対応する近隣リストを更新するための手段とを含み得る。
【００７４】
[0084]１つの実装形態では、発見するための手段は、ＮＡＮチャネルを介してサービス発見メッセージを送ることと、サービス発見メッセージは、関心のサービスに対応する情報を含む、複数の近隣局のうちの少なくとも１つから、ＮＡＮチャネルを介してサービス応答メッセージを受信することとを行うように構成され得るものであり、サービス応答メッセージは、ＮＡＮチャネルを介して関心のサービスを提供するＮＡＮデータリンクネットワークを識別する情報を含む。この実装形態では、通信するための手段は、サービス応答メッセージで識別される、ＮＡＮデータリンクネットワーク内の複数の局のうちの１つまたは複数に、ＮＡＮデータリンクチャネルを介して関連付けメッセージを送るように構成され、ここにおいて、複数の局のうちの１つまたは複数は、第２の局を含む。この事例では局は、ＮＡＮデータリンクチャネルを介してピア発見メッセージを送るための手段と、１つまたは複数の局から受信されるメッセージに応答して、現在のところＮＡＮネットワーク内の複数の近隣局に対応する近隣リストを更新するための手段とをさらに含み得る。更新するための手段は、近隣リストに、１つまたは複数の新しい近隣局を追加するように構成され得るものであり、通信するための手段は、１つまたは複数の新しい近隣局のうちの少なくとも１つに、ＮＡＮデータリンクチャネルを介して関連付けメッセージを送るように構成され得る。
【００７５】
[0085]別の実装形態では、発見するための手段は、ＮＡＮチャネルを介してサービス広告ブロードキャストメッセージを受信することと、サービス広告ブロードキャストメッセージは、関心のサービスと、関心のサービスを提供するＮＡＮデータリンクネットワークとを識別する情報を含む、複数の近隣局に、ＮＡＮチャネルを介してピア発見メッセージを送ることとを行うように構成され、ここにおいて、複数の近隣局は、関心のサービスを提供するＮＡＮデータリンクネットワークを形成する複数の局を含み、ピア発見メッセージは、関心のサービスと、関心のサービスを提供するＮＡＮデータリンクネットワークとに対応する情報を含む。この事例では、通信するための手段は、ピア発見メッセージを受信した複数の局のうちの１つまたは複数から、ＮＡＮデータリンクチャネルを介して関連付けメッセージを受信するように構成され、ここにおいて、複数の局のうちの１つまたは複数は、第２の局を含む。
【００７６】
[0086]さらに別の実装形態では、発見するための手段は、ＮＡＮチャネルを介してサービス広告メッセージを受信するように構成され、サービス広告メッセージは、関心のサービスと、関心のサービスを提供するＮＡＮデータリンクネットワークと、近隣にある局のリストとを識別する情報を含み、サービス広告メッセージは、サービス広告メッセージで識別される、ＮＡＮデータリンクネットワークの局により送られる。この事例では、通信するための手段は、サービス広告メッセージで識別される、ＮＡＮデータリンクネットワーク内の複数の局のうちの１つまたは複数に、ＮＡＮデータリンクチャネルを介して関連付けメッセージを送るように構成され、ここにおいて、複数の局のうちの１つまたは複数は、第２の局を含む。
【００７７】
[0087]前に述べられた手段は、図９の処理システム９１０、送信器９１５、および／もしくは受信器９０５のうちの１つもしくは複数、または、図２のデバイスの構成要素のうちの１つもしくは複数であり得る。
【００７８】
[0088]図１０Ａは、発見局への関心のサービスを提供し得るＮＡＮデータリンクネットワーク内の局のワイヤレス通信の方法のフローチャートである。ステップ１００６で、および図５を追加的に参照すると、提供する局５０４は、発見局５０２から、第１のチャネル、たとえばＮＡＮチャネルを介してサービス発見メッセージ５１０を受信する。サービス発見メッセージ５１０は、発見局５０２の関心のサービスに対応する情報を含む。ステップ１００８で、提供する局５０４は、ＮＡＮチャネルを介して、発見局５０２にサービス応答メッセージ５１２を送る。サービス応答メッセージ５１２は、関心のサービスを提供するＮＡＮデータリンクネットワーク５０８に対応し、そのＮＡＮデータリンクネットワーク５０８を識別する情報を含む。ステップ１０１０で、提供する局５０４（またはことによると、サービスを提供するＮＡＮデータリンクネットワーク内の別の局）は、発見局５０２から、第２のチャネル、たとえばＮＡＮデータリンクチャネルを介して関連付けメッセージ５１４を受信する。関連付けメッセージ５１４に基づいて、提供する局、および発見局は、ピアリング配置構成であって、それにより局がデータをやり取りする、ピアリング配置構成を確立する。
【００７９】
[0089]図１０Ｂは、発見局への関心のサービスを提供し得るＮＡＮデータリンクネットワーク内の局のワイヤレス通信の方法のフローチャートである。ステップ１０１２で、および図６を追加的に参照すると、提供する局６０４は、第１のチャネル、たとえばＮＡＮチャネルを介してサービス広告ブロードキャストメッセージ６１２を送る。サービス広告ブロードキャストメッセージ６１２は、サービスと、サービスを提供するＮＡＮデータリンクネットワークとに対応する情報を含む。ステップ１０１４で、提供する局６０４は、ＮＡＮチャネルを介して、提供する局により広告されるサービスに関心のある、発見局６０２から、ピア発見メッセージ６１４を受信する。ピア発見メッセージ６１４は、関心のサービスと、関心のサービスを提供するＮＡＮデータリンクネットワーク６０８とに対応する情報を含む。ステップ１０１６で、提供する局６０４（またはことによると、サービスを提供するＮＡＮデータリンクネットワーク内の別の局６１０）は、発見局６０２にＮＡＮデータリンクチャネルを介して関連付けメッセージ６１６を送る。関連付けメッセージ６１６に基づいて、提供する局６０４、６１０、および発見局６０２は、ピアリング配置構成であって、それにより局がデータをやり取りする、ピアリング配置構成を確立する。
【００８０】
[0090]図１０Ｃは、発見局への関心のサービスを提供し得るＮＡＮデータリンクネットワーク内の局のワイヤレス通信の方法のフローチャートである。ステップ１０１８で、および図７を追加的に参照すると、提供する局７０４は、ＮＡＮネットワーク７０６によりサポートされるＮＡＮチャネルに対応する第１のチャネルを介してサービス広告メッセージ７１４を送る。サービス広告メッセージ７１４は、サービスと、サービスを提供するＮＡＮデータリンクネットワーク７０８と、ＮＡＮデータリンクネットワークに参加する、近隣にある局のリストとに対応する情報を含む。ステップ１０２０で、提供する局７０４（またはことによると、サービスを提供するＮＡＮデータリンクネットワーク内の別の局７１０、７１２）は、ＮＡＮデータリンクチャネルに対応する第２のチャネルを介して、サービスに関心のある、発見局から、関連付けメッセージ７１６を受信する。関連付けメッセージ７１６に基づいて、提供する局７０４、７１０、または７１２、および発見局７０２は、ピアリング配置構成であって、それにより局がデータをやり取りする、ピアリング配置構成を確立する。
【００８１】
[0091]本明細書で開示される方法は、説明される方法を実現するための１つまたは複数のステップまたはアクションを備える。方法ステップおよび／またはアクションは、特許請求の範囲の範囲から逸脱することなく互いに置き換えられ得る。言い換えれば、ステップまたはアクションの特定の順序が指定されない限り、特定のステップおよび／またはアクションの、順序および／または使用は、特許請求の範囲の範囲から逸脱することなく修正され得る。上記で説明された方法の様々な動作は、様々なハードウェアおよび／またはソフトウェアの、構成要素、回路、および／またはモジュールなどの、動作を遂行する能力のある任意の適した手段により遂行され得る。一般的には、図で例解される任意の動作は、動作を遂行する能力のある対応する機能的手段により遂行され得る。開示されるプロセス／フローチャート内のブロックの特定の順序または階層は、例示的な手法の例解であるということが理解される。設計選好に基づいて、プロセス／フローチャート内のブロックの特定の順序または階層は再配置構成され得るということが理解される。さらに一部のブロックは、組み合わされる、または省略されることがある。付随する方法請求項は、見本の順序で様々なブロックの要素を提示するものであり、提示される特定の順序または階層に制限されるようには意味をもたせられない。
【００８２】
[0092]１つまたは複数の態様では、説明される機能は、ハードウェア、ソフトウェア、ファームウェア、または、それらの任意の組合せで実装され得る。ソフトウェアで実装されるならば、機能は、コンピュータ可読媒体上の１つまたは複数の命令またはコードとして、コンピュータ可読媒体上に記憶され得る、または、コンピュータ可読媒体を介して送信され得る。コンピュータ可読媒体は、１つの場所から別の場所へのコンピュータプログラムの転送を容易にする任意の媒体を含む、コンピュータ記憶媒体と通信媒体の両方を含む。記憶媒体は、コンピュータによりアクセスされ得る任意の利用可能な媒体であり得る。例として、および制限としてではなく、そのようなコンピュータ可読媒体は、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶デバイス、または、命令もしくはデータ構造の形式で、所望されるプログラムコードを搬送もしくは記憶するために使用され得る、および、コンピュータによりアクセスされ得る、任意の他の媒体を備え得る。さらには任意の接続が、当然のことながら、コンピュータ可読媒体と称される。たとえばソフトウェアが、同軸ケーブル、光ファイバケーブル、ツイストペア、デジタル加入者線（ＤＳＬ）、または、赤外線、無線、およびマイクロ波などのワイヤレス技術を使用して、ウェブサイト、サーバ、または他の遠隔ソースから送信されるならば、同軸ケーブル、光ファイバケーブル、ツイストペア、ＤＳＬ、または、赤外線、無線、およびマイクロ波などのワイヤレス技術は、媒体の定義に含まれる。したがって一部の態様では、コンピュータ可読媒体は、非一時的コンピュータ可読媒体（たとえば、有形媒体）を備え得る。加えて一部の態様では、コンピュータ可読媒体は、一時的コンピュータ可読媒体（たとえば、信号）を備え得る。上記の組合せがさらには、コンピュータ可読媒体の範囲内に含まれるべきである。
【００８３】
[0093]したがって、ある決まった態様は、本明細書で提示される動作を遂行するためのコンピュータプログラム製品を備え得る。たとえばそのようなコンピュータプログラム製品は、記憶される（および／または符号化される）命令を有するコンピュータ可読媒体を備え得るものであり、命令は、本明細書で説明される動作を遂行するために、１つまたは複数のプロセッサにより実行可能であるものである。ある決まった態様に対して、コンピュータプログラム製品はパッケージング材料を含み得る。
【００８４】
[0094]ソフトウェアまたは命令はさらには、送信媒体を介して送信され得る。たとえばソフトウェアが、同軸ケーブル、光ファイバケーブル、ツイストペア、デジタル加入者線（ＤＳＬ）、または、赤外線、無線、およびマイクロ波などのワイヤレス技術を使用して、ウェブサイト、サーバ、または他の遠隔ソースから送信されるならば、同軸ケーブル、光ファイバケーブル、ツイストペア、ＤＳＬ、または、赤外線、無線、およびマイクロ波などのワイヤレス技術は、送信媒体の定義に含まれる。
【００８５】
[0095]先の説明は、当業者が誰でも、本明細書で説明される様々な態様を実践することを可能にするために提供されるものである。これらの態様に対する様々な修正が、当業者には容易に明らかになり、本明細書で定義される包括的原理が、他の態様に適用され得る。したがって特許請求の範囲は、本明細書で示される態様に制限されることを意図されるものではなく、特許請求の範囲の文言と矛盾のない最大限の範囲を与えられるべきものであり、ここにおいて、単数形での要素に対する言及は、「唯一無二」を意味することを、具体的にそのように説述されない限り意図されるものではなく、むしろ「１つまたは複数」を意味することを意図される。別段に具体的に説述されない限り、「一部の」という用語は、１つまたは複数を指す。当業者に知られる、または後に知られるようになる、本開示の全体を通して説明される様々な態様の要素に対する、すべての構造的および機能的均等物は、参照により本明細書に明示的に組み込まれ、特許請求の範囲により包含されることを意図される。その上、本明細書で開示されるいかなるものも、そのような開示が特許請求の範囲に明瞭に記載されるかどうかにかかわらず、公衆に開放されることを意図されない。いかなる請求項要素も、要素が「ための手段」という語句を使用して明示的に記載されない限り、または方法請求項の事例では、要素が「ためのステップ」という語句を使用して記載されない限り、米国特許法第１１２条第６項の規定のもとで解釈されるべきではない。
【００８６】
[0096]先の説明は、当業者が誰でも、本明細書で説明される様々な態様を実践することを可能にするために提供されるものである。これらの態様に対する様々な修正が、当業者には容易に明らかになり、本明細書で定義される包括的原理が、他の態様に適用され得る。したがって特許請求の範囲は、本明細書で示される態様に制限されることを意図されるものではなく、特許請求の範囲の文言と矛盾のない最大限の範囲を与えられるべきものであり、ここにおいて、単数形での要素に対する言及は、「唯一無二」を意味することを、具体的にそのように説述されない限り意図されるものではなく、むしろ「１つまたは複数」を意味することを意図される。「例示的」という単語は、本明細書では、「例、実例、または例解としての働きをする」を意味するように使用される。「例示的」として本明細書で説明されるいかなる態様も、必ずしも、他の態様に対して選好される、または有利であると解釈されるべきではない。別段に具体的に説述されない限り、「一部の」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、または、それらの任意の組合せ」などの組合せは、Ａ、Ｂ、および／またはＣの任意の組合せを含み、Ａの複数個、Ｂの複数個、または、Ｃの複数個を含み得る。具体的には、「Ａ、Ｂ、またはＣのうちの少なくとも１つ」、「Ａ、Ｂ、およびＣのうちの少なくとも１つ」、および「Ａ、Ｂ、Ｃ、または、それらの任意の組合せ」などの組合せは、Ａのみ、Ｂのみ、Ｃのみ、ＡおよびＢ、ＡおよびＣ、ＢおよびＣ、または、ＡおよびＢおよびＣであり得るものであり、任意のそのような組合せは、Ａ、Ｂ、またはＣの、１つまたは複数の、構成物または複数の構成物を内包し得る。当業者に知られる、または後に知られるようになる、本開示の全体を通して説明される様々な態様の要素に対する、すべての構造的および機能的均等物は、参照により本明細書に明示的に組み込まれ、特許請求の範囲により包含されることを意図される。その上、本明細書で開示されるいかなるものも、そのような開示が特許請求の範囲に明瞭に記載されるかどうかにかかわらず、公衆に開放されることを意図されない。いかなる請求項要素も、要素が「ための手段」という語句を使用して明示的に記載されない限り、ミーンズプラスファンクションと解釈されるべきではない。
以下に、本願出願の当初の特許請求の範囲に記載された発明を付記する。
［Ｃ１］
第１の局のワイヤレス通信の方法であって、
前記第１の局へ関心のサービスを提供する能力のある第２の局を発見すること、前記第２の局は、ビーコンなしに、関心の前記サービスを提供し、近隣認識ネットワーキング（ＮＡＮ）データリンクチャネルを介した通信をサポートする、ＮＡＮデータリンクネットワークに参加する複数の局のうちの１つであり、前記発見することは、同期を提供するビーコン動作を有する、ＮＡＮネットワークを形成する複数の近隣局によりサポートされるＮＡＮチャネルを介した通信によって行われる、と、
前記ＮＡＮデータリンクチャネルを介して前記第２の局と通信することと
を備える、方法。
［Ｃ２］
発見することは、
前記ＮＡＮチャネルを介してサービス発見メッセージを送ること、前記サービス発見メッセージは、関心の前記サービスに対応する情報を含む、と、
前記複数の近隣局のうちの少なくとも１つから、前記ＮＡＮチャネルを介してサービス応答メッセージを受信すること、前記サービス応答メッセージは、前記ＮＡＮデータリンクチャネルを介して関心の前記サービスを提供するＮＡＮデータリンクネットワークを識別する情報を含む、と
を備える、Ｃ１に記載の方法。
［Ｃ３］
通信することは、
前記サービス応答メッセージで識別される、前記ＮＡＮデータリンクネットワーク内の前記複数の局のうちの１つまたは複数に、前記ＮＡＮデータリンクチャネルを介して関連付けメッセージを送ることを備え、前記複数の局のうちの前記１つまたは複数は、前記第２の局を含む、
Ｃ２に記載の方法。
［Ｃ４］
前記ＮＡＮデータリンクチャネルを介してピア発見メッセージを送ることと、
１つまたは複数の局から受信されるメッセージに応答して、現在のところ前記ＮＡＮネットワーク内にあって前記ＮＡＮデータリンクネットワークに参加する前記複数の近隣局に対応する近隣リストを更新することと
をさらに備える、Ｃ２に記載の方法。
［Ｃ５］
更新することは、前記近隣リストに、１つまたは複数の新しい近隣局を追加することを備え、
通信することは、前記新しい近隣局のうちの少なくとも１つに、前記ＮＡＮデータリンクチャネルを介して関連付けメッセージを送ることをさらに備える、
Ｃ４に記載の方法。
［Ｃ６］
発見することは、
前記ＮＡＮチャネルを介してサービス広告ブロードキャストメッセージを受信すること、前記サービス広告ブロードキャストメッセージは、関心のサービスと、関心の前記サービスを提供するＮＡＮデータリンクネットワークとを識別する情報を含む、と、
前記複数の近隣局に、前記ＮＡＮチャネルを介してピア発見メッセージを送ること、前記複数の近隣局は、関心の前記サービスを提供する前記ＮＡＮデータリンクネットワークに参加する複数の局を含み、前記ピア発見メッセージは、関心の前記サービスと、関心の前記サービスを提供するＮＡＮデータリンクネットワークとに対応する情報を含む、と
を備える、Ｃ１に記載の方法。
［Ｃ７］
前記ピア発見メッセージは、前記ＮＡＮチャネルの発見ウィンドウの間に送られ、前記発見ウィンドウの間、前記複数の近隣局はアウェイクである、
Ｃ６に記載の方法。
［Ｃ８］
通信することは、
前記ピア発見メッセージを受信した前記複数の局のうちの１つまたは複数から、前記ＮＡＮデータリンクチャネルを介して関連付けメッセージを受信することを備え、前記複数の局のうちの前記１つまたは複数は、前記第２の局を含む、
Ｃ６に記載の方法。
［Ｃ９］
前記関連付けメッセージは、前記ＮＡＮデータリンクチャネルのページングウィンドウの間に送られ、ページングウィンドウの間、前記複数の局はアウェイクである、
Ｃ８に記載の方法。
［Ｃ１０］
発見することは、
前記ＮＡＮチャネルを介してサービス広告メッセージを受信することを備え、前記サービス広告メッセージは、関心のサービスと、関心の前記サービスを提供するＮＡＮデータリンクネットワークと、近隣にある局のリストとを識別する情報を含み、前記サービス広告メッセージは、前記サービス広告メッセージで識別される、前記ＮＡＮデータリンクネットワークの局により送られる、
Ｃ１に記載の方法。
［Ｃ１１］
通信することは、
前記サービス広告メッセージで識別される、前記ＮＡＮデータリンクネットワーク内の前記複数の局のうちの１つまたは複数に、前記ＮＡＮデータリンクチャネルを介して関連付けメッセージを送ることを備え、前記複数の局のうちの前記１つまたは複数は、前記第２の局を含む、
Ｃ１０に記載の方法。
［Ｃ１２］
前記第２の局は、前記第１の局から１ホップである、
Ｃ１に記載の方法。
［Ｃ１３］
前記第２の局は、関心の前記サービスを提供する、
Ｃ１に記載の方法。
［Ｃ１４］
前記第２の局は、関心の前記サービスに対するプロキシである、
Ｃ１に記載の方法。
［Ｃ１５］
前記ＮＡＮチャネルは、同期をサポートするように構成され、前記ＮＡＮデータリンクチャネルは、前記ＮＡＮチャネルによりサポートされる同期に依拠する、
Ｃ１に記載の方法。
［Ｃ１６］
ワイヤレス通信のための第１の局であって、
前記第１の局へ関心のサービスを提供する能力のある第２の局を発見するための手段、前記第２の局は、ビーコンなしに、関心の前記サービスを提供し、近隣認識ネットワーキング（ＮＡＮ）データリンクチャネルを介した通信をサポートする、ＮＡＮデータリンクネットワークに参加する複数の局のうちの１つであり、前記発見することは、同期を提供するビーコン動作を有する、ＮＡＮネットワークを形成する複数の近隣局によりサポートされるＮＡＮチャネルを介した通信によって行われる、と、
前記ＮＡＮデータリンクチャネルを介して前記第２の局と通信するための手段と
を備える、第１の局。
［Ｃ１７］
前記発見するための手段は、
前記ＮＡＮチャネルを介してサービス発見メッセージを送ること、前記サービス発見メッセージは、関心の前記サービスに対応する情報を含む、と、
前記複数の近隣局のうちの少なくとも１つから、前記ＮＡＮチャネルを介してサービス応答メッセージを受信すること、前記サービス応答メッセージは、前記ＮＡＮチャネルを介して関心の前記サービスを提供するＮＡＮデータリンクネットワークを識別する情報を含む、と
を行うように構成される、Ｃ１６に記載の第１の局。
［Ｃ１８］
前記通信するための手段は、
前記サービス応答メッセージで識別される、前記ＮＡＮデータリンクネットワーク内の前記複数の局のうちの１つまたは複数に、前記ＮＡＮデータリンクチャネルを介して関連付けメッセージを送るように構成され、前記複数の局のうちの前記１つまたは複数は、前記第２の局を含む、
Ｃ１７に記載の第１の局。
［Ｃ１９］
前記ＮＡＮデータリンクチャネルを介してピア発見メッセージを送るための手段と、
１つまたは複数の局から受信されるメッセージに応答して、現在のところ前記ＮＡＮネットワーク内にあって前記ＮＡＮデータリンクネットワークに参加する前記複数の近隣局に対応する近隣リストを更新するための手段と
をさらに備える、Ｃ１７に記載の第１の局。
［Ｃ２０］
前記更新するための手段は、前記近隣リストに、１つまたは複数の新しい近隣局を追加するように構成され、
前記通信するための手段は、前記１つまたは複数の新しい近隣局のうちの少なくとも１つに、前記ＮＡＮデータリンクチャネルを介して関連付けメッセージを送るように構成される、
Ｃ１９に記載の第１の局。
［Ｃ２１］
前記発見するための手段は、
前記ＮＡＮチャネルを介してサービス広告ブロードキャストメッセージを受信すること、前記サービス広告ブロードキャストメッセージは、関心のサービスと、関心の前記サービスを提供するＮＡＮデータリンクネットワークとを識別する情報を含む、と、
前記複数の近隣局に、前記ＮＡＮチャネルを介してピア発見メッセージを送ること、前記複数の近隣局は、関心の前記サービスを提供する前記ＮＡＮデータリンクネットワークに参加する複数の局を含み、前記ピア発見メッセージは、関心の前記サービスと、関心の前記サービスを提供するＮＡＮデータリンクネットワークとに対応する情報を含む、と
を行うように構成される、Ｃ１６に記載の第１の局。
［Ｃ２２］
前記ピア発見メッセージは、前記ＮＡＮチャネルの発見ウィンドウの間に送られ、前記発見ウィンドウの間、前記複数の近隣局はアウェイクである、
Ｃ２１に記載の第１の局。
［Ｃ２３］
前記通信するための手段は、
前記ピア発見メッセージを受信した前記複数の局のうちの１つまたは複数から、前記ＮＡＮデータリンクチャネルを介して関連付けメッセージを受信するように構成され、前記複数の局のうちの前記１つまたは複数は、前記第２の局を含む、
Ｃ２１に記載の第１の局。
［Ｃ２４］
前記関連付けメッセージは、前記ＮＡＮデータリンクチャネルのページングウィンドウの間に送られ、前記ページングウィンドウの間、前記複数の局はアウェイクである、
Ｃ２３に記載の第１の局。
［Ｃ２５］
前記発見するための手段は、
前記ＮＡＮチャネルを介してサービス広告メッセージを受信するように構成され、前記サービス広告メッセージは、関心のサービスと、関心の前記サービスを提供するＮＡＮデータリンクネットワークと、近隣にある局のリストとを識別する情報を含み、前記サービス広告メッセージは、前記サービス広告メッセージで識別される、前記ＮＡＮデータリンクネットワークの局により送られる、
Ｃ１６に記載の第１の局。
［Ｃ２６］
前記通信するための手段は、
前記サービス広告メッセージで識別される、前記ＮＡＮデータリンクネットワーク内の前記複数の局のうちの１つまたは複数に、前記ＮＡＮデータリンクチャネルを介して関連付けメッセージを送るように構成され、前記複数の局のうちの前記１つまたは複数は、前記第２の局を含む、
Ｃ２５に記載の第１の局。
［Ｃ２７］
前記ＮＡＮチャネルは、同期をサポートするように構成され、前記ＮＡＮデータリンクチャネルは、前記ＮＡＮチャネルによりサポートされる同期に依拠する、
Ｃ１６に記載の第１の局。
［Ｃ２８］
ワイヤレス通信のための第１の局であって、
メモリと、
前記メモリに結合される少なくとも１つのプロセッサと
を備え、前記少なくとも１つのプロセッサは、
前記第１の局へ関心のサービスを提供する能力のある第２の局を発見すること、前記第２の局は、ビーコンなしに、関心の前記サービスを提供し、近隣認識ネットワーキング（ＮＡＮ）データリンクチャネルを介した通信をサポートする、ＮＡＮデータリンクネットワークに参加する複数の局のうちの１つであり、前記発見することは、同期を提供するビーコン動作を有する、ＮＡＮネットワークを形成する複数の近隣局によりサポートされるＮＡＮチャネルを介した通信によって行われる、と、
前記ＮＡＮデータリンクチャネルを介して前記第２の局と通信することと
を行うように構成される、第１の局。
［Ｃ２９］
第１の局のコンピュータ可読媒体であって、少なくとも１つのプロセッサ上で実行されるときに、前記少なくとも１つのプロセッサに、
前記第１の局へ関心のサービスを提供する能力のある第２の局を発見すること、前記第２の局は、ビーコンなしに、関心の前記サービスを提供し、近隣認識ネットワーキング（ＮＡＮ）データリンクチャネルを介した通信をサポートする、ＮＡＮデータリンクネットワークに参加する複数の局のうちの１つであり、前記発見することは、同期を提供するビーコン動作を有する、ＮＡＮネットワークを形成する複数の近隣局によりサポートされるＮＡＮチャネルを介した通信によって行われる、と、
前記ＮＡＮデータリンクチャネルを介して前記第２の局と通信することと
を行わせるコードを備える、コンピュータ可読媒体。
【図１】
0006563426.tif 000002
【図２】
0006563426.tif 000003
【図３】
0006563426.tif 000004
【図４】
0006563426.tif 000005
【図５】
0006563426.tif 000006
【図６】
0006563426.tif 000007
【図７】
0006563426.tif 000008
【図８Ａ】
0006563426.tif 000009
【図８Ｂ】
0006563426.tif 000010
【図８Ｃ】
0006563426.tif 000011
【図８Ｄ】
0006563426.tif 000012
【図９】
0006563426.tif 000013
【図１０Ａ】
0006563426.tif 000014
【図１０Ｂ】
0006563426.tif 000015
【図１０Ｃ】
0006563426.tif 000016